【手続補正書】
【提出日】平成18年10月2日(2006.10.2)
【手続補正１】
【補正対象書類名】明細書
【補正対象項目名】発明の名称
【補正方法】変更
【補正の内容】
【発明の名称】防振機能を有した変倍光学系、及びカメラ
【手続補正２】
【補正対象書類名】明細書
【補正対象項目名】特許請求の範囲
【補正方法】変更
【補正の内容】
【特許請求の範囲】
【請求項１】  物体側より順に配置された、正の屈折力の第１レンズ群、負の屈折力の第２レンズ群、正の屈折力の第３レンズ群、そして正の屈折力の第４レンズ群から構成され、少なくとも該第２レンズ群と該第３レンズ群を移動させて変倍を行う、変倍光学系であって、該第１レンズ群を正の単レンズまたは１枚の正レンズと１枚の負レンズで構成すると共に、該第３レンズ群全体を光軸と垂直方向に移動させて該変倍光学系が振動した時の撮影画像のぶれを補正することを特徴とする防振機能を有した変倍光学系。
【請求項２】  前記第３レンズ群、及び該第３レンズ群より像側に配置したレンズ群の望遠端での倍率を各々Ｂ３ｔ、Ｂｒｔとしたとき
０．５＜｜（１−Ｂ３ｔ）・Ｂｒｔ｜＜３
なる条件式を満足することを特徴とする請求項１記載の防振機能を有した変倍光学系。
【請求項３】  前記第３レンズ群の焦点距離をｆ３、広角端と望遠端における全系の焦点距離を各々ｆｗ，ｆｔとするとき
１．５＜ｆ３／ｆｗ＜３．０
２．０＜ｆｔ／ｆｗ
なる条件式を満足することを特徴とする請求項１記載の防振機能を有した変倍光学系。
【請求項４】  前記第３レンズ群は複数の正レンズと像面側に強い凹面を向けた１枚の負レンズを有していることを特徴とする請求項１記載の防振機能を有した変倍光学系。
【請求項５】  物体側より順に配置された、正の屈折力の第１レンズ群、負の屈折力の第２レンズ群、正の屈折力の第３レンズ群、そして正の屈折力の第４レンズ群から構成され、少なくとも該第２レンズ群と該第３レンズ群を移動させて変倍を行なう変倍光学系であって、該第１レンズ群を正の単レンズまたは１枚の正レンズと１枚の負レンズで構成すると共に、該第２レンズ群全体を光軸と垂直方向に移動させて該変倍光学系が振動した時の撮影画像のぶれを補正することを特徴とする防振機能を有した変倍光学系。
【請求項６】  前記第２レンズ群、及び第２レンズ群より像側に配置したレンズ群の望遠端での倍率を各々Ｂ２ｔ、Ｂｒｔとしたとき
０．５＜｜（１−Ｂ２ｔ）・Ｂｒｔ｜＜３
なる条件式を満足することを特徴とする請求項５記載の防振機能を有した変倍光学系。
【請求項７】  前記第２レンズ群は、物体側から順に、像面側に強い凹面を向けたメニスカス状の負レンズ、負レンズ、物体側に強い凸面を向けた正レンズより構成されていることを特徴とする請求項１または５記載の防振機能を有した変倍光学系。
【請求項８】  該第１レンズ群は正の単レンズより成り、その物体側と像面側のレンズ面の曲率半径をそれぞれＲ１，Ｒ２、その材質のアッベ数をν１とするとき
−３＜（Ｒ１＋Ｒ２）／（Ｒ１−Ｒ２）＜０
５５＜ν１
なる条件を満足することを特徴とする請求項１または５記載の防振機能を有した変倍光学系。
【請求項９】  物体側より順に配置された、正の屈折力の第１レンズ群、負の屈折力の第２レンズ群、正の屈折力の第３レンズ群、正の屈折力の第４レンズ群から構成され、該第１レンズ群と該第２レンズ群、そして該第３レンズ群を移動させて変倍を行なう変倍光学系であって、該第３レンズ群全体を光軸と垂直方向に移動させて該変倍光学系が振動した時の撮影画像のぶれを補正すると共に、広角端から望遠端への変倍における該第１，第３レンズ群の移動量を各々Ｍ１，Ｍ３としたとき、
０．２＜Ｍ１／Ｍ３＜１．５
なる条件式を満足することを特徴とする防振機能を有した変倍光学系。
【請求項１０】  請求項１乃至９いずれかに記載の変倍光学系を備え、画像を撮影することを特徴とするカメラ。
【手続補正３】
【補正対象書類名】明細書
【補正対象項目名】０００１
【補正方法】変更
【補正の内容】
【０００１】
【発明の属する技術分野】
本発明は防振機能を有した変倍光学系、及びカメラに関し、特に変倍光学系の一部のレンズ群を光軸と垂直方向に移動させることにより、該変倍光学系が振動（傾動）した時の撮影画像のぶれを光学的に補正して静止画像を得るようにし撮影画像の安定化を図ったビデオカメラや銀塩写真用カメラ、電子スチルカメラ、デジタルカメラなどに好適な防振機能を有した変倍光学系、及びカメラに関するものである。
【手続補正４】
【補正対象書類名】明細書
【補正対象項目名】００１４
【補正方法】変更
【補正の内容】
【００１４】
本発明は変倍光学系の一部を構成する比較的小型軽量のレンズ群を光軸と垂直方向に移動させて、該変倍光学系が振動（傾動）したときの画像のぶれを補正するように構成するとともにぶれを補正するためのレンズ群の構成を適切なものとすることにより、装置全体の小型化、機構上の簡素化及び駆動手段の負荷の軽減化を図りつつ該レンズ群を偏心させた時の偏心収差を良好に補正した防振機能を有し、例えば１００万画素以上の撮像素子を有する電子スチルカメラにも十分対応出来る防振機能を有した変倍光学系、及びカメラの提供を目的とする。
【手続補正５】
【補正対象書類名】明細書
【補正対象項目名】００１５
【補正方法】変更
【補正の内容】
【００１５】
請求項１の発明の防振機能を有した変倍光学系は、
物体側より順に配置された、正の屈折力の第１レンズ群、負の屈折力の第２レンズ群、正の屈折力の第３レンズ群、そして正の屈折力の第４レンズ群から構成され、少なくとも該第２レンズ群と該第３レンズ群を移動させて変倍を行う、変倍光学系であって、該第１レンズ群を正の単レンズまたは１枚の正レンズと１枚の負レンズで構成すると共に、該第３レンズ群全体を光軸と垂直方向に移動させて該変倍光学系が振動した時の撮影画像のぶれを補正することを特徴としている。
【手続補正６】
【補正対象書類名】明細書
【補正対象項目名】００１６
【補正方法】変更
【補正の内容】
【００１６】
請求項２の発明は請求項１の発明において、
前記第３レンズ群、及び該第３レンズ群より像側に配置したレンズ群の望遠端での倍率を各々Ｂ３ｔ、Ｂｒｔとしたとき
０．５＜｜（１−Ｂ３ｔ）・Ｂｒｔ｜＜３
なる条件式を満足することを特徴としている。
【手続補正７】
【補正対象書類名】明細書
【補正対象項目名】００１７
【補正方法】変更
【補正の内容】
【００１７】
請求項３の発明は請求項１の発明において、
前記第３レンズ群の焦点距離をｆ３、広角端と望遠端における全系の焦点距離を各々ｆｗ，ｆｔとするとき
１．５＜ｆ３／ｆｗ＜３．０
２．０＜ｆｔ／ｆｗ
なる条件式を満足することを特徴としている。
【手続補正８】
【補正対象書類名】明細書
【補正対象項目名】００１８
【補正方法】変更
【補正の内容】
【００１８】
請求項４の発明は請求項１の発明において、前記第３レンズ群は複数の正レンズと像面側に強い凹面を向けた１枚の負レンズを有していることを特徴としている。
【手続補正９】
【補正対象書類名】明細書
【補正対象項目名】００１９
【補正方法】変更
【補正の内容】
【００１９】
請求項５の発明の防振機能を有した変倍光学系は、
物体側より順に配置された、正の屈折力の第１レンズ群、負の屈折力の第２レンズ群、正の屈折力の第３レンズ群、そして正の屈折力の第４レンズ群から構成され、少なくとも該第２レンズ群と該第３レンズ群を移動させて変倍を行なう変倍光学系であって、該第１レンズ群を正の単レンズまたは１枚の正レンズと１枚の負レンズで構成すると共に、該第２レンズ群全体を光軸と垂直方向に移動させて該変倍光学系が振動した時の撮影画像のぶれを補正することを特徴としている。
【手続補正１０】
【補正対象書類名】明細書
【補正対象項目名】００２０
【補正方法】変更
【補正の内容】
【００２０】
請求項６の発明は請求項５の発明において、
前記第２レンズ群、及び第２レンズ群より像側に配置したレンズ群の望遠端での倍率を各々Ｂ２ｔ、Ｂｒｔとしたとき
０．５＜｜（１−Ｂ２ｔ）・Ｂｒｔ｜＜３
なる条件式を満足することを特徴としている。
【手続補正１１】
【補正対象書類名】明細書
【補正対象項目名】００２１
【補正方法】変更
【補正の内容】
【００２１】
請求項７の発明は請求項１又は５の発明において、
前記第２レンズ群は、物体側から順に、像面側に強い凹面を向けたメニスカス状の負レンズ、負レンズ、物体側に強い凸面を向けた正レンズより構成されていることを特徴としている。
【手続補正１２】
【補正対象書類名】明細書
【補正対象項目名】００２２
【補正方法】変更
【補正の内容】
【００２２】
請求項８の発明は請求項１又は５の発明において、
該第１レンズ群は正の単レンズより成り、その物体側と像面側のレンズ面の曲率半径をそれぞれＲ１，Ｒ２、その材質のアッベ数をν１とするとき
−３＜（Ｒ１＋Ｒ２）／（Ｒ１−Ｒ２）＜０
５５＜ν１
なる条件を満足することを特徴としている。
【手続補正１３】
【補正対象書類名】明細書
【補正対象項目名】００２３
【補正方法】変更
【補正の内容】
【００２３】
請求項９の発明の防振機能を有した変倍光学系は、
物体側より順に配置された、正の屈折力の第１レンズ群、負の屈折力の第２レンズ群、正の屈折力の第３レンズ群、正の屈折力の第４レンズ群から構成され、該第１レンズ群と該第２レンズ群、そして該第３レンズ群を移動させて変倍を行なう変倍光学系であって、該第３レンズ群全体を光軸と垂直方向に移動させて該変倍光学系が振動した時の撮影画像のぶれを補正すると共に、広角端から望遠端への変倍における該第１，第３レンズ群の移動量を各々Ｍ１，Ｍ３としたとき、
０．２＜Ｍ１／Ｍ３＜１．５
なる条件式を満足することを特徴としている。
請求項１０の発明のカメラは、請求項１乃至９いずれかに記載の変倍光学系を備え、画像を撮影することを特徴としている。
【手続補正１４】
【補正対象書類名】明細書
【補正対象項目名】００８４
【補正方法】変更
【補正の内容】
【００８４】
【発明の効果】
本発明によれば以上のように、変倍光学系の一部を構成する比較的小型軽量のレンズ群を光軸と垂直方向に移動させて、該変倍光学系が振動（傾動）したときの画像のぶれを補正するように構成するとともにぶれを補正するためのレンズ群の構成を適切なものとすることにより、装置全体の小型化、機構上の簡素化及び駆動手段の負荷の軽減化を図りつつ該レンズ群を偏心させた時の偏心収差を良好に補正した防振機能を有し、例えば１００万画素以上の撮像素子を有する電子スチルカメラにも十分対応出来る防振機能を有した変倍光学系、及びカメラを達成することが出来る。